(57)【要約】【課題】使用者が、製品やその商品名等をより明確に認識できる樹脂容器を提案する。【解決手段】本発明による樹脂容器は、その表面に所望の文字、図形、記号および／または模様の印刷を行うに際し、前記樹脂表面に、所望の不透明色のインクを用いて文字、図形、記号および／または模様を印刷した後、透明インクを用いて、前記印刷した文字、図形、記号および／または模様の上に、該印刷した文字、図形、記号および／または模様の縁取りをするように、前記不透明インクの塗膜の厚さよりも厚く、かつ、前記印刷した文字、図形、記号および／または模様よりもわずかに大きく、当該印刷した文字、図形、記号および／または模様に対応する文字、図形、記号および／または模様を印刷したものである。【選択図】図１
2006272969.tif 000002
【特許請求の範囲】
【請求項１】
樹脂容器表面に所望の文字、図形、記号および／または模様の印刷を行うに際し、
前記樹脂表面に、所望の不透明色のインクを用いて文字、図形、記号および／または模様を印刷した後、透明インクを用いて、前記印刷した文字、図形、記号および／または模様の上に、該印刷した文字、図形、記号および／または模様の縁取りをするように、前記不透明インクの塗膜の厚さよりも厚く、かつ、前記印刷した文字、図形、記号および／または模様よりもわずかに大きく、当該印刷した文字、図形、記号および／または模様に対応する文字、図形、記号および／または模様を印刷したことを特徴とする、樹脂容器。
【請求項２】
前記透明インクの上から樹脂容器表面全体に亘ってオーバーコート層を形成する、請求項１に記載の樹脂容器。
【発明の詳細な説明】
【技術分野】
【０００１】
本発明は、樹脂容器の表面に商品名等を表す文字、図形、模様などを印刷した樹脂容器に関するものである。
【背景技術】
【０００２】
図１は、かかる樹脂容器の内、チューブ容器での一例を示すものである。ここで、図の樹脂容器１の表面1aには、例えば製品内容を表示する文字２が印刷されている。
【０００３】
このような文字や図形、模様等の印刷をチューブ容器に施す場合には、従来よりオフセット印刷またはシルクスクリーン印刷が使用されている。従来の方法による印刷の場合、図２に示すように、チューブ容器表面1aに、文字２を所望の色のインク３で印刷し、その上に透明なオーバーコート層４を容器表面1a全体に亘って形成しており、通常印刷の厚みはシルクスクリーン印刷で15μｍ程度であり、オフセット印刷に至っては数μｍしかインクを盛ることができない。
【０００４】
一般的に、このようにして形成した文字や図形、模様等は、通常、容器に収容された製品（シャンプー、化粧品等）の名称や、製品を製造したメーカーのマークと言った、使用者（消費者）が当該製品を他社の製品等と区別できるようにするための機能を有するものであると共に、容器の美感を高める機能をも有する。したがって、製品の名称等を表す文字や図形、模様等を、消費者がより明確に認識できるようにし、また容器の美感をより高めることができれば、競合する他社製品との明確な差別化を図ることができるようになる。
【０００５】
また、こうした文字や図形、模様等を使用者、特に視覚障害者や老人といった、いわゆる弱者が製品を明確に認識することができるようにすることが、製品安全性の向上等の点からも望まれている。
【発明の開示】
【発明が解決しようとする課題】
【０００６】
本発明は上述した状況に鑑み、容器表面に形成される文字や図形、模様等に立体感を持たせ、容器の美感を向上させると共に、使用者の製品に対する認識力をさらに高めることのできる、樹脂容器を提案するものである。
【課題を解決するための手段】
【０００７】
そのために、本発明による樹脂容器は、樹脂容器表面に所望の文字、図形、記号および／または模様の印刷を行うに際し、前記樹脂表面に、所望の不透明色のインクを用いて文字、図形、記号および／または模様を印刷した後、透明インクを用いて、前記印刷した文字、図形、記号および／または模様の上に、該印刷した文字、図形、記号および／または模様の縁取りをするように、前記不透明インクの塗膜の厚さよりも厚く、かつ、前記印刷した文字、図形、記号および／または模様よりもわずかに大きく、当該印刷した文字、図形、記号および／または模様に対応する形状の文字、図形、記号および／または模様を印刷したことを特徴とする。
【０００８】
本発明による樹脂容器によれば、前記透明インクの上から樹脂容器表面全体に亘ってオーバーコート層を形成することができる。
【０００９】
本発明による樹脂容器は、従来の印刷方法により形成した文字や図形、模様等の上に、さらに透明なインクを盛り上げて印刷を行うことにより、容器に印刷された商品名や製造メーカーのマーク、模様などを容器表面から比較的高く浮き上がらせて立体感を持たせて表示するものである。そのため、商品名や模様などをより明確にすることができ、容器の美感の向上を図ることが可能となり、使用者（消費者）に当該製品をより認識し易くすることができる。特に、商品名などを比較的高く浮き上がらせて表示していることから点字の印刷にも応用でき、視覚障害者や老人にも認識し易いものとなる。
【００１０】
特に本発明による樹脂容器は、前記透明インクを用いて印刷する文字、図形、記号および／または模様を、前記不透明色のインクを用いて印刷した前記文字、図形、記号および／または模様を縁取りをするようにこれら文字、図形、記号および／または模様よりもわずかに大きく印刷することをも特徴とする。それによって、透明インクが、不透明インク層の縁取りをするように形成され、立体感をより際立たせると共に、透明インクの下に印刷されている文字や模様等を保護するための表面コーティングを施した場合と同様の効果が得られることとなる。
【発明を実施するための最良の形態】
【００１１】
以下、図面を参照して本発明の好適な実施形態について説明する。
【００１２】
図３は、本発明による樹脂容器を、図１に示すチューブ容器１として適用した場合を、図２と同様に示すものである。本発明による樹脂容器においては、チューブ容器１の表面1a上にアンダーコート層５を形成した後、所望の色のインク３で文字を印刷した後、透明インク６をその上に重ね印刷している。なお、ここでアンダーコート層５は、必ずしも必要ではなく、図２と同様に、容器表面1aに直接インク３で印刷を行っても良い。また、やはり図２と同様に、透明インク６の上から、容器表面1a全体に亘ってオーバーコート層を形成することもできる。
【００１３】
図３に示すように、インク３による印刷層の厚さｔ１よりも、透明インク６による印刷層の厚さｔ２の方が厚くなっている。このようにすることで、容器表面印刷した文字等を、より高く浮き上がらせて表示することができる。その結果、使用者が、視覚によっても、また触覚によっても製品をより明確に認識することができるようになる。また、容器の美感をも向上させることができる。さらには、重ね印刷ではあるが、上に重ねるインクが透明であるため、容易にＵＶ硬化させることも可能となっている。なお、アンダーコート層を設ける場合、アンダーコート層を艶消しとし、透明インクを光沢とすることにより、または、その逆にアンダーコート層を光沢とし、透明インクを艶消しとすることにより、印刷部分をより一層引き立たせる効果をもたらすこともできる。
【００１４】
ここで、本発明による樹脂容器に用いるインクとしては、まず文字、図形または模様等の印刷には通常のシルクスクリーン印刷に用いられるインクを利用することとし、また、その上に印刷する透明インクとしては、例えば帝国インキ製造株式会社製の厚盛りメジウム等を用いることができる。
【００１５】
なお、それぞれの印刷層の厚さとしては、透明インクによる印刷層の厚さｔ２を、その下の印刷層の厚さｔ１の２倍程度とすることが好ましい。さらに、これらを印刷する方法としては、通常のシルクスクリーン印刷を利用することができる。
【００１６】
さらに、本発明による樹脂容器は、ポリエチレンテレフタレート、ポリエチレン等の種々の樹脂を用いた容器に利用でき、また、こうした樹脂とアルミニウム箔などを積層した容器にも利用可能である。さらに樹脂容器の形状も、例示のチューブ型容器に限らず、ボトル型、カップ型等あらゆる種類に適用可能である。
【００１７】
以上説明したように、本発明による樹脂容器は、樹脂容器表面に商品名等を表す文字、図形、模様等を比較的厚い塗膜で印刷する。その結果、商品名や模様などに立体感を持たせてより明確にすることができ、容器の美感の向上を図ることが可能となり、使用者（消費者）に当該製品をより認識し易くすることができるようになる。
【図面の簡単な説明】
【００１８】
【図１】チューブ容器の一例を示す図である。
【図２】従来の方法で印刷した塗膜を拡大して示す断面図である。
【図３】本発明による樹脂容器の塗膜を拡大して示す断面図である。
【符号の説明】
【００１９】
１  チューブ容器
２  文字
３  不透明インク
４  オーバーコート層
５  アンダーコート層
６  透明インク
【図１】
2006272969.tif 000003
【図２】
2006272969.tif 000004
【図３】
2006272969.tif 000005